(57)【要約】【課題】原画像を分割して得られた複数の分割画像をそれぞれ１枚の用紙に印刷した原稿の一部が欠落している場合に、どのページが欠落しているかを操作者が見分けることのできる画像を表示する。【解決手段】原稿読取部２が、原画像を分割して得られた複数の分割画像をそれぞれ１枚の用紙に印刷した原稿を読み取って、分割画像を表す分割画像データを生成する。情報読取部６が、原稿の各々に埋め込まれた情報を読み取る。対応情報管理部９が、原稿読取部２が生成した分割画像データと、情報読取部６が読み取った情報とを原稿毎に対応付けて記録する。画像配列部２５が、対応情報管理部９に記録された情報に基づいて、各分割画像データで表される分割画像の原画像内での位置を特定し、特定の結果に基づいて複数の分割画像を配列した配列画像データを生成する。表示部５１が、配列画像データに基づく配列画像を表示する。【選択図】図１５
2009232427.tif 000002
【特許請求の範囲】
【請求項１】
原画像を分割して得られた複数の分割画像をそれぞれ１枚の用紙に印刷した原稿を読み取って、前記分割画像を表す分割画像データを生成する原稿読取手段と、
前記原稿の各々に埋め込まれた情報を読み取る情報読取手段と、
前記原稿読取手段が生成した分割画像データと、前記情報読取手段が読み取った情報とを原稿毎に対応付けて記録する対応情報管理手段と、
前記対応情報管理手段に記録された情報に基づいて、前記各分割画像データで表される分割画像の前記原画像内での位置を特定し、特定の結果に基づいて前記複数の分割画像を配列した配列画像データを生成する画像配列手段と、
前記画像配列手段が生成した配列画像データに基づく配列画像を表示する表示手段と
を有することを特徴とする画像読取装置。
【請求項２】
前記表示手段が表示した配列画像に含まれる分割画像の１つまたは複数を指定する画像指定手段と、
前記画像指定手段で指定された分割画像に対応する分割画像データに基づいて当該分割画像を印刷する印刷手段と
を有することを特徴とする請求項１に記載の画像読取装置。
【請求項３】
前記画像配列手段は、前記原稿読取手段が第１の原稿群を読み取って生成した各分割画像データで表される分割画像の前記原画像内での位置を特定して第１の配列画像データを生成し、前記原稿読取手段が第２の原稿群を読み取って生成した各分割画像データで表される分割画像の前記原画像内での位置を特定して第２の配列画像データを生成し、
前記表示手段は、前記画像配列手段が生成した第１の配列画像データに基づく第１の配列画像と第２の配列画像データに基づく第２の配列画像とを表示する
ことを特徴とする請求項１または２に記載の画像読取装置。
【請求項４】
前記画像配列手段は、前記第２の原稿郡と同一の原画像から得られた分割画像データを、前記対応情報管理手段に記録された情報に基づいて抽出し、抽出された分割画像データに基づいて前記第１の配列画像データを生成する
ことを特徴とする請求項３に記載の画像読取装置。
【請求項５】
前記情報読取手段で読み取った情報から前記原稿のページ番号を取得してするページ情報取得手段と、
前記対応情報管理手段は、前記ページ情報取得手段が取得したページ番号を前記分割画像データとを対応付けて記録し、
前記対応情報管理手段に記録したページ番号に従って、前記分割画像データに基づく分割画像を印刷する印刷手段と
を有することを特徴とする請求項１乃至４のいずれかに記載の画像読取装置。
【請求項６】
原画像を分割して得られた複数の分割画像をそれぞれ１枚の用紙に印刷した原稿を読み取って、前記分割画像を表す分割画像データを生成する原稿読取手段と、前記原稿の各々に埋め込まれた情報を読み取る情報読取手段と、を有する画像読取装置に、
前記原稿読取手段が生成した分割画像データと、前記情報読取手段が読み取った情報とを原稿毎に対応付けて記録する対応情報管理ステップと、
前記対応情報管理ステップで記録された情報に基づいて、前記各分割画像データで表される分割画像の前記原画像内での位置を特定し、特定の結果に基づいて前記複数の分割画像を配列した配列画像データを生成する画像配列ステップと、
前記画像配列ステップで生成した配列画像データに基づく配列画像を表示する表示ステップと
を実行させるプログラム。
【発明の詳細な説明】
【技術分野】
【０００１】
本発明は、画像読取装置およびプログラムに関する。
【背景技術】
【０００２】
原稿から読み取った画像を複数の領域に分割し、各領域の画像を同じ倍率で拡大して用紙に印刷する機能を備えた画像形成装置が知られている。この機能によって画像を印刷した用紙を連結すれば、原稿を拡大した１枚の画像が得られるので、ポスターや看板を作成することができる。
この技術を応用した例として、特許文献１では、用紙の表（おもて）面に原稿の画像を印刷するとともに、用紙を連結する際の各用紙間の相対的な位置関係やのり代、切り取り代等の情報を各用紙の裏面に印刷することが提案されている。
【特許文献１】特開２００５−１６７３７３号公報
【発明の開示】
【発明が解決しようとする課題】
【０００３】
本発明は、原画像を分割して得られた複数の分割画像をそれぞれ１枚の用紙に印刷した原稿の一部が欠落している場合に、どのページが欠落しているかを操作者が見分けることのできる画像を表示する技術の提供を目的とする。
【課題を解決するための手段】
【０００４】
請求項１に係る発明は、原画像を分割して得られた複数の分割画像をそれぞれ１枚の用紙に印刷した原稿を読み取って、前記分割画像を表す分割画像データを生成する原稿読取手段と、前記原稿の各々に埋め込まれた情報を読み取る情報読取手段と、前記原稿読取手段が生成した分割画像データと、前記情報読取手段が読み取った情報とを原稿毎に対応付けて記録する対応情報管理手段と、前記対応情報管理手段に記録された情報に基づいて、前記各分割画像データで表される分割画像の前記原画像内での位置を特定し、特定の結果に基づいて前記複数の分割画像を配列した配列画像データを生成する画像配列手段と、前記画像配列手段が生成した配列画像データに基づく配列画像を表示する表示手段とを有することを特徴とする画像読取装置を提供する。
【０００５】
請求項２に係る発明は、請求項１に記載の画像読取装置において、前記表示手段が表示した配列画像に含まれる分割画像の１つまたは複数を指定する画像指定手段と、前記画像指定手段で指定された分割画像に対応する分割画像データに基づいて当該分割画像を印刷する印刷手段とを有することを特徴とする。
【０００６】
請求項３に係る発明は、請求項１または２に記載の画像読取装置において、前記画像配列手段は、前記原稿読取手段が第１の原稿群を読み取って生成した各分割画像データで表される分割画像の前記原画像内での位置を特定して第１の配列画像データを生成し、前記原稿読取手段が第２の原稿群を読み取って生成した各分割画像データで表される分割画像の前記原画像内での位置を特定して第２の配列画像データを生成し、前記表示手段は、前記画像配列手段が生成した第１の配列画像データに基づく第１の配列画像と第２の配列画像データに基づく第２の配列画像とを表示することを特徴とする。
【０００７】
請求項４に係る発明は、請求項３に記載の画像読取装置において、前記画像配列手段は、前記第２の原稿郡と同一の原画像から得られた分割画像データを、前記対応情報管理手段に記録された情報に基づいて抽出し、抽出された分割画像データに基づいて前記第１の配列画像データを生成することを特徴とする。
【０００８】
請求項５に係る発明は、請求項１乃至４のいずれかに記載の画像読取装置において、前記情報読取手段で読み取った情報から前記原稿のページ番号を取得してするページ情報取得手段と、前記対応情報管理手段は、前記ページ情報取得手段が取得したページ番号を前記分割画像データとを対応付けて記録し、前記対応情報管理手段に記録したページ番号に従って、前記分割画像データに基づく分割画像を印刷する印刷手段とを有することを特徴とする。
【０００９】
請求項６に係る発明は、原画像を分割して得られた複数の分割画像をそれぞれ１枚の用紙に印刷した原稿を読み取って、前記分割画像を表す分割画像データを生成する原稿読取手段と、前記原稿の各々に埋め込まれた情報を読み取る情報読取手段と、を有する画像読取装置に、前記原稿読取手段が生成した分割画像データと、前記情報読取手段が読み取った情報とを原稿毎に対応付けて記録する対応情報管理ステップと、前記対応情報管理ステップで記録された情報に基づいて、前記各分割画像データで表される分割画像の前記原画像内での位置を特定し、特定の結果に基づいて前記複数の分割画像を配列した配列画像データを生成する画像配列ステップと、前記画像配列ステップで生成した配列画像データに基づく配列画像を表示する表示ステップとを実行させるプログラムを提供する。
【発明の効果】
【００１０】
請求項１、３、４および６に係る発明によれば、原画像を分割して得られた複数の分割画像をそれぞれ１枚の用紙に印刷した原稿の一部が欠落している場合に、どのページが欠落しているかを操作者が見分けることのできる画像を表示することができる。
請求項２に係る発明によれば、所望の分割画像を印刷することができ、また、印刷すべき分割画像を操作者が容易に見つけることができる。
請求項５に係る発明によれば、分割画像をページ順に印刷することができる。
【発明を実施するための最良の形態】
【００１１】
＜１．第１実施形態＞
これより、本発明の第１実施形態について説明する。
＜１．１  構成＞
図１は、画像読取装置１の機能構成を示す図である。同図に示すように、画像読取装置１は、原稿読取部２、制御部３、印刷部４、ＵＩ（User Interface）部５から構成される。なお、画像読取装置１は、複写機、プリンタ、ファクシミリとして動作することが可能である。
【００１２】
原稿読取部２は、原稿を光学的に読み取って、原稿の画像を表す画像データを生成する。具体的には、原稿読取部２は、原稿台、プラテンガラス、搬送機構、撮像素子等（図示省略）を備え、原稿台に載せられた原稿を搬送機構により１枚ずつプラテンガラス上に搬送し、プラテンガラスに接した面の画像を撮像素子により撮像し、撮像された画像を表す画像データを生成する。
【００１３】
また、原稿読取部２は、情報読取部６、反対面読取機構７を備えている。
情報読取部６は、原稿の各々に埋め込まれた情報を読み取る。具体的には、情報読取部６は、ＲＦＩＤ（Radio Frequency IDentification）タグとの間で通信を行う通信機能を備えている。本実施形態で読み取りの対象とする原稿の用紙には、所定の位置に微細なＲＦＩＤタグが埋め込まれている。このＲＦＩＤタグは記憶領域を有し、当該原稿のページ番号、片面両面情報、ポートレート／ランドスケープ情報、タグ位置情報等がこの記憶領域に予め記憶されている。これらの情報はいずれも固定長のデータである。情報読取部６がＲＦＩＤタグに対して各情報の送信を要求すると、ＲＦＩＤタグは所定の順番で各情報を情報読取部６に送信する。情報読取部６は記憶領域を有し、ＲＦＩＤタグから送信された各情報を受信し、受信した順番で各情報を記憶領域に書き込む。その結果、各情報は、それぞれ所定のアドレスを先頭として記憶領域に記憶される。
【００１４】
片面両面情報は、当該原稿が用紙の片面だけに印刷された原稿であるか、用紙の両面に印刷された原稿であるかを表す情報であり、片面／両面のいずれかである。
ポートレート／ランドスケープ情報は、当該用紙に対してポートレート印刷とランドスケープ印刷のどちらが行われたかを表す情報である。ポートレート印刷は、用紙の横方向の長さよりも縦方向の長さが長くなるように用紙を使用して印刷する態様である。一方、ランドスケープ印刷は、用紙の縦方向の長さよりも横方向の長さが長くなるように用紙を使用して印刷する態様である。本実施形態では、原稿読取部２および印刷部４において、用紙の長辺に平行な方向に用紙を搬送する。ここで、閲覧者が原稿を閲覧する場合の当該用紙中央から上辺に向かう垂線の方向を天方向と呼ぶとすると、ポートレート印刷では天方向に用紙の短辺が位置し、ランドスケープ印刷では天方向に用紙の長辺が位置する。言い換えれば、ポートレート印刷では天方向は用紙搬送方向と一致し、ランドスケープ印刷では天方向は用紙搬送方向に対して垂直な方向である。
【００１５】
タグ位置情報は、当該ＲＦＩＤタグの用紙表（おもて）面上の位置を表す情報であり、左上／左下／右上／右下のいずれかである。ここで、「表面」は、両面印刷時に先に印刷された面であり、この面に続いて印刷された面が裏面である。片面印刷時には、画像が印刷された面が表面である。なお、以下の説明では、特に断りのない限り、「表面」は「おもて面」を意味する。
【００１６】
反対面読取機構７は、プラテンガラス上の原稿の裏表を反転させる機構である。原稿の両面を読み取る場合、原稿読取部２が原稿の一方の面を読み取ったのに続いて反対面読取機構７が原稿を反転させ、原稿読取部２が原稿のもう一方の面を読み取る。
【００１７】
制御部３は、ＣＰＵ（Central Processing Unit）、ＲＯＭ（Read Only Memory）、ＲＡＭ（Random Access Memory）を有し、ＲＯＭに記憶されているＯＳ（Operating System）、アプリケーションプログラム等をＣＰＵが実行することによって画像読取装置１の各部を制御する。また、制御部３は、以下に示すページ情報取得部８、対応情報管理部９、画像メモリ１０、ソート処理部１１ 、片面両面情報取得部１２、裏表情報取得部１３、回転情報取得部１４、画像回転処理部１５として動作する。
【００１８】
ページ情報取得部８は、情報読取部６がＲＦＩＤタグから読み取った情報に含まれるページ番号を取得する。前述のとおり、ＲＦＩＤタグから読み取られた各情報はそれぞれ所定のアドレスを先頭とする固定長のデータとして情報読取部６の記憶領域に記憶されるから、ページ情報取得部８は、記憶領域の所定のアドレスを先頭として所定のビット数だけデータを読み出すことによってページ情報を取得する。
【００１９】
画像メモリ１０は、原稿読取部２が生成した画像データを記憶する。
対応情報管理部９は、原稿読取部２が生成した画像データと、情報読取部６が読み取った情報とを原稿毎に対応付けて記録する。具体的には、対応情報管理部９は、画像メモリ１０に１ページ分の画像データを書き込む度に、当該記憶領域に対して固有の領域番号Ｘを付与する。最初の１ページ分の画像データが書き込まれた記憶領域には領域番号１が付与され、以後、１ページ毎に領域番号Ｘを１ずつ加算していく。
さらに、対応情報管理部９は記憶領域を有し、画像メモリ１０に記憶された各ページの画像データとページ番号との対応関係を記憶する。具体的には、画像メモリ１０に１ページ分の画像データが書き込まれる度に、当該記憶領域に付与された領域番号Ｘと、ページ情報取得部８が取得したページ番号とを対応付けて記憶する。さらに、後述する回転情報および裏表情報を領域番号Ｘと対応付けて記憶する。
ソート処理部１１は、画像メモリ１０に記憶されている画像データを出力する際に、自動ソート処理を実行する。自動ソートの処理については後述する。
【００２０】
片面両面情報取得部１２は、情報読取部６がＲＦＩＤタグから読み取った情報に含まれる片面両面情報を情報読取部６の記憶領域から取得する。
裏表情報取得部１３は、情報読取部６がＲＦＩＤタグから読み取った情報に基づいて、当該ＲＦＩＤタグの埋め込まれたページが表面か裏面かを判定し、この判定結果を裏表情報として取得する。なお、判定の手段については後述する。
【００２１】
回転情報取得部１４は、情報読取部６がＲＦＩＤタグから読み取った情報に基づいて、用紙上の画像が当該用紙の天方向に対してどれだけ回転しているか（例えば、０°／９０°／１８０°／２７０°）を判定し、この判定結果を回転情報として取得する。なお、判定の手段については後述する。
画像回転処理部１５は、用紙の天方向に対する画像の角度が０°になるように画像データに回転処理を施す。
【００２２】
印刷部４は、例えば電子写真方式により画像データに基づいて用紙上に画像を印刷する。なお、画像を印刷した用紙に埋め込まれているＲＦＩＤタグにページ番号、片面両面情報、ポートレート／ランドスケープ情報、タグ位置情報等を書き込む構成を印刷部４に備えるようにしてもよい。
ＵＩ部５は、表示部５１を備える。表示部５１は、操作メニュー等を表示する画面である。また、表示部５１は、操作者が画像読取装置１に指示を入力するための指示入力部としても機能する。すなわち、表示部５１の画面にはセンサが備えられており、操作者が所望のメニュー項目に触れるとこのセンサによって指示の内容を特定し、特定された内容を制御部３に通知する。制御部３は、この指示に従って画像読取装置１の動作を制御する。
【００２３】
＜１．２  判定手段＞
次に、原稿の裏表および天方向を判定する手段について説明する。
＜１．２．１  第１の判定手段＞
第１の判定手段について説明する 。
ＲＦＩＤタグは用紙の四隅（左上／左下／右上／右下）のいずれか１箇所に埋め込まれている。この用紙を用いた原稿を原稿台にどの向きに載せるかは操作者の任意であるから、この原稿のどちら側が表面でどの方向が天方向であるかは操作者が原稿を原稿台に載せた時点で決まる。原稿読取部２には、原稿のサイズを判定するためのセンサが備えられている。また、情報読取部６は、用紙のサイズ毎に、用紙の四隅に対応する位置に１つずつ設けられている。実際にＲＦＩＤタグから情報を受信するのは４つの情報読取部６のうちの１つであるから、制御部３は、ＲＦＩＤタグからの情報を受信した情報読取部６を特定することによって用紙上のＲＦＩＤタグの位置を特定する。
【００２４】
図１１は、ＲＦＩＤタグに書き込まれている情報の内容を示す図である。図１１（ａ）に示すように、ページ番号、情報１：片面両面情報、情報２：ポートレート／ランドスケープ情報、情報３：タグ位置情報、がＲＦＩＤタグに書き込まれている。ここでは、情報１：両面、情報２：ポートレート印刷、情報３：左上、である場合について説明する。
【００２５】
まず、原稿がプラテンガラス上に搬送されると、原稿読取部２が原稿の画像を読み取るとともに、情報読取部６がＲＦＩＤタグから情報を読み取る。なお、上述のとおり、本実施形態では用紙の搬送方向は用紙の長辺に平行な方向である。
続いて、回転情報取得部１４が、用紙の天方向を２方向に絞り込む。例えば、ポートレート印刷の場合、天方向は用紙の搬送方向またはその逆方向であり、ランドスケープ印刷の場合、天方向は用紙の搬送方向に直交する２方向のいずれかである。この例では、情報２がポートレート印刷であるから、用紙の天方向は用紙の搬送方向またはその逆方向に絞り込まれる。
【００２６】
続いて、裏表情報取得部１３が用紙の裏表を判定し、この判定結果に基づいて、回転情報取得部１４が用紙の天方向を判定する。具体的には、まず、裏表情報取得部１３が、ＲＦＩＤタグからの情報を受信した情報読取部６を特定する。この処理によって、用紙上のＲＦＩＤタグの位置が特定される。
【００２７】
図１２は、用紙上のＲＦＩＤタグの位置を示す図である。同図は、用紙のプラテンガラスに接する面を表している。この例では、情報２：ポートレート印刷、情報３：左上、であるから、用紙上のＲＦＩＤタグの位置は、同図（ａ）乃至（ｄ）の４とおりの場合があり得る。ＲＦＩＤタグの位置が左上と特定された場合、図１２（ａ）に示すように、読み取られた面は表面であり、天方向は搬送方向と一致する。よって、この場合、裏表情報：表、回転情報：０、が取得される。ＲＦＩＤタグの位置が右下と特定された場合、図１２（ｂ）に示すように、読み取られた面は表面であり、天方向は搬送方向と逆方向である。よって、この場合、裏表情報：表、回転情報：１８０、が取得される。
【００２８】
ＲＦＩＤタグの位置が右上と特定された場合、図１２（ｃ）に示すように、読み取られた面は裏面であり、天方向は搬送方向と一致する。よって、この場合、裏表情報：裏、回転情報：０、が取得される。ＲＦＩＤタグの位置が左下と特定された場合、図１２（ｄ）に示すように、読み取られた面は裏面であり、天方向は搬送方向と逆方向である。よって、この場合、裏表情報：裏、回転情報：１８０、が取得される。
【００２９】
＜１．２．２  第２の判定手段＞
次に、第２の判定手段について説明する。第２の判定手段は、図１１（ｂ）に示すように、ＲＦＩＤタグに書き込まれている情報の内訳が第１の判定手段と異なっており、ページ番号、情報１：片面両面情報、情報２：表面のポートレート／ランドスケープ情報、情報３：当該ＲＦＩＤタグの用紙表面上の位置（左上／左下／右上／右下）、情報４：裏面のポートレート／ランドスケープ情報  情報５：当該ＲＦＩＤタグの用紙裏面上の位置（左上／左下／右上／右下）、がＲＦＩＤタグに書き込まれている。用紙の裏表および天方向の判定手順は第１の判定手段と同じであるが、第２の判定手段ではポートレート／ランドスケープ情報、タグ位置情報を表面と裏面とで別々に保持させているので、表面と裏面とでポートレート印刷／ランドスケープ印刷の区分が異なる場合や、表面と裏面とで用紙の天方向が異なる場合であっても、用紙の裏表および天方向を判定することができる。
【００３０】
＜１．２．３  第３の判定手段＞
次に、第３の判定手段について説明する。
図１３は、用紙上のＲＦＩＤタグの位置を示す図である。第３の判定手段では、図１３（ａ）に示すように、ＲＦＩＤタグが用紙の四隅のうち互いに隣り合った２箇所に埋め込まれている。また、ＲＦＩＤタグに書き込まれている情報の内訳が第１、第２の判定手段と異なっており、ページ番号、情報１：片面両面情報、情報３：タグ位置情報、が書き込まれている。ここでは、２つのＲＦＩＤタグの一方に情報１：両面、情報３：左上、もう一方のＲＦＩＤタグに情報１：両面、情報３：左下、が書き込まれている場合について説明する。
【００３１】
まず、原稿がプラテンガラス上に搬送されると、原稿読取部２が原稿の画像を読み取るとともに、情報読取部６がＲＦＩＤタグから情報を読み取る。
続いて、裏表情報取得部１３が用紙の裏表を判定し、回転情報取得部１４が用紙の天方向を判定する。具体的には、裏表情報取得部１３は、ＲＦＩＤタグからの情報を受信した情報読取部６を特定する。すると、用紙上のＲＦＩＤタグの位置が特定される。裏表情報取得部１３および回転情報取得部１４は、特定された位置と２つのＲＦＩＤタグから読み取られた情報３とを比較することによって、それぞれ用紙の裏表、用紙の天方向を判定する。
【００３２】
例えば、ＲＦＩＤタグの位置が用紙の左上および左下と特定されたならば、図１３（ｂ）、（ｅ）の２とおりの場合があり得る。このうち、情報３が左上であるＲＦＩＤタグの位置が左上、情報３が左下であるＲＦＩＤタグの位置が左下であるならば、図１３（ｂ）に示すように、裏表情報：表、回転情報：０、が取得される。反対に、情報３が左上であるＲＦＩＤタグの位置が左下、情報３が左下であるＲＦＩＤタグの位置が左上であるならば、図１３（ｅ）に示すように、裏表情報：裏、回転情報：１８０、が取得される。このように、用紙の四隅のうち２箇所について情報３と実際の位置とを比較するので、用紙の形状が正方形の場合であっても、用紙の裏表および天方向を判定することができる。
本実施形態では、用紙の裏表および天方向の判定手段として第１の判定手段を用いる。
【００３３】
＜１．３  動作＞
次に、画像読取装置１の動作について説明する。画像読取装置１は、原稿の全ページを読み取って全ページ分の画像データを蓄積した後に印刷処理を行うように設定されている。また、画像読取装置１は、原稿の読み取り開始前においては、操作者による自動ソートモードの指定を不能とするように設定される。自動ソートモードとは、原稿の読み取り順がページ順と異なっていた場合に、印刷の順番がページ順となるように画像データの出力の順番を変更するモードである。
【００３４】
図２乃至８は、画像読取装置１が実行する処理の流れを示すフローチャートである。
画像読取装置１の動作は、基本的な動作、自動ソートモードをＯＮにして処理を継続する場合の動作、自動ソートモードをＯＦＦのまま処理を継続する場合の動作、処理の中断、の４パターンに大別できるので、パターン別に説明する。
【００３５】
＜１．３．１  基本的な動作＞
図２は、画像読取装置１の基本的な動作のフローを表す図である。操作者が原稿台に原稿を載せ、ＵＩ部５に複写処理の指示を入力すると、制御部３は、まず、自動ソートモードをＯＦＦに設定する（ステップＳ２０１）。これによって、操作者による自動ソートモードの指定は不能となる。
続いて、制御部３は、入力ページカウンタｎの値を１に初期化し（ステップＳ２０２）、画像メモリ１０の領域番号Ｘの値を１に初期化する（ステップＳ２０３）。
【００３６】
次に、制御部３が、原稿台に次ページ、すなわち読み取りの済んでいない原稿があるか否かを判定し（ステップＳ２０４）、読み取りの済んでいない原稿があるならば（ステップＳ２０４でＹＥＳ）、情報読取部６が当該原稿に埋め込まれたＲＦＩＤタグから情報を読み取り、ページ情報取得部８がページ番号を取得する（ステップＳ２０５）。最初の処理では、当然のことながら読み取りの済んでいない原稿が存在するから、情報読取部６が情報の読み取りを行う。読み取られる情報は、ページ番号、情報１（片面両面情報）、情報２（ポートレート／ランドスケープ情報）、情報３（タグ位置情報）、である。そして、ページ情報取得部８が、読み取られた情報に含まれるページ番号を取得する。ここで読み取られたページ番号をｍに代入する。
【００３７】
続いて、制御部３は、ページ番号ｍの値と入力ページカウンタｎの値を比較する（ステップＳ２０６）。比較の結果、両者が一致するならば（ステップＳ２０６でＹＥＳ）、片面両面情報取得部１２が、情報読取部６が読み取った情報に含まれる片面両面情報を取得する（ステップＳ２０７）。取得した片面両面情報が片面印刷を表すならば（ステップＳ２０８でＹＥＳ）、裏表情報取得部１３が、情報読取部６が読み取った情報に基づいて裏表情報を取得する（ステップＳ２０９）。取得した裏表情報が表面を表すならば（ステップＳ２１０でＹＥＳ）、回転情報取得部１４が、情報読取部６が読み取った情報に基づいて回転情報を取得する（ステップＳ２１１）。なお、裏表情報および回転情報の取得は、前述した第１の判定手段によって行う。これ以降の処理においても同様である。
【００３８】
取得した回転情報が０°を表すならば（ステップＳ２１２でＹＥＳ）、天方向に対する画像の角度を補正する処理が不要であるから、原稿読取部２が、当該原稿を読み取って画像データを生成し、生成した画像データを画像メモリ１０の領域番号Ｘに対応する記憶領域に格納し（ステップＳ２１３）、対応情報管理部９が領域番号Ｘとページ番号ｍを対応付けて記憶する（ステップＳ２１４）。図９および図１０は、対応情報管理部９に記憶された領域番号Ｘとページ番号ｍの対応関係を例示する図である。
続いて、制御部３は、領域番号Ｘの値を１だけ加算し（ステップＳ２１５）、入力ページカウンタｎの値を１だけ加算し（ステップＳ２１６）、ステップＳ２０４に戻る。
【００３９】
一方、片面両面情報が両面印刷を表す場合（ステップＳ２０８でＮＯ）、裏表情報取得部１３が裏表情報を取得する（ステップＳ２１７）。取得した裏表情報が表面を表すならば（Ｓ２１８でＹＥＳ）、回転情報取得部１４が回転情報を取得する（ステップＳ２１９）。取得した回転情報が０°を表すならば（Ｓ２２０でＹＥＳ）、天方向に対する画像の角度を補正する処理が不要であるから、原稿読取部２が、当該原稿を読み取って画像データを生成し、生成した画像データを画像メモリ１０の領域番号Ｘに対応する記憶領域に格納し（ステップＳ２２１）、対応情報管理部９が領域番号Ｘとページ番号ｍを対応付けて記録する（ステップＳ２２２）。 
【００４０】
続いて、制御部３は、画像メモリ１０の領域番号Ｘの値を１だけ加算し（ステップＳ２２３）、反対面読取機構７を作動させて原稿を反転させる（ステップＳ２２４）。そして、制御部３は、裏表情報を裏面を表す情報に変更してこれを保持し（ステップＳ２２５）、ステップＳ２１３に進む。
【００４１】
そして、ステップＳ２０６でページ番号ｍの値と入力ページカウンタｎの値が不一致となることがないまま全てのページの読み取りが終了した場合、すなわち、原稿の読み取りの過程で原稿のページの抜け若しくはページ順の間違いが発生しなかった場合、（ステップＳ２０４でＮＯ）、制御部３は、図４のＢへ進み、蓄積した画像データを用いた印刷処理に移る。
【００４２】
印刷処理においては、制御部３は、まず、出力ページカウンタＮの値を１に初期化する（ステップＳ２２６）。続いて、制御部３は、画像メモリ１０の領域番号Ｎに対応する記憶領域から画像データを読み出して印刷部４へ出力する（ステップＳ２２７）。そして、画像メモリ１０の領域番号（Ｎ＋１）に対応する記憶領域に画像データが存在するならば（ステップＳ２２８でＹＥＳ）、出力ページカウンタＮの値を１だけ加算して（ステップＳ２２９）、ステップＳ２２７に戻る。そして、全ての画像データを読み出したならば、つまり、画像メモリ１０の領域番号（Ｎ＋１）に対応する記憶領域に画像データが存在しないならば（ステップＳ２２８でＮＯ）、制御部３は印刷処理を終了する。
【００４３】
一方、図２のフローにおいて以下に示す（ア）乃至（オ）の場合には、いずれも図３のＡに進む。
（ア）ステップＳ２０６でページ番号ｍの値と入力ページカウンタｎの値が不一致となった場合（ステップＳ２０６でＮＯ）、すなわち、原稿の読み取りの過程で原稿のページの抜け若しくはページ順の間違いが発生した場合。
（イ）ステップＳ２１０で裏表情報が裏面を表す場合（ステップＳ２１０でＮＯ）。
（ウ）ステップＳ２１８で裏表情報が裏面を表す場合（ステップＳ２１８でＮＯ）。
（エ）ステップＳ２１２で回転情報が０°でない場合（ステップＳ２１２でＮＯ）、すなわち、画像回転処理が必要である場合。
（オ）ステップＳ２２０で回転情報が０°でない場合（ステップＳ２２０でＮＯ）、すなわち、画像回転処理が必要である場合。
上記の５つの場合、制御部３は、図３のＡに進み、ＵＩ部５に警告を示す文字列（例えば、「ページ抜けまたはページ順の間違いがあります」）と、その後の処理の選択肢を示す文字列を表示する（ステップＳ２３０）。選択肢としては、例えば、「自動ソートモードをＯＮにして処理を継続」、「自動ソートモードをＯＦＦのまま処理を継続」、「処理の中断」がある。
【００４４】
＜１．３．２  自動ソートモードをＯＮにして処理を継続する場合＞
操作者がＵＩ部５に表示された選択肢から「自動ソートモードをＯＮにして処理を継続」を選択すると（ステップＳ２３１でＹＥＳ、ステップＳ２３２でＹＥＳ）、制御部３は、図５のＣに進む。図５は、自動ソートモードにおける原稿読み取りのフローを表す図である。
まず、制御部３は、最後に実行したステップＳ２０５（図２）で取得したページ番号ｍの値を、最大ページ番号Ｍに代入する（ステップＳ２３３）。
【００４５】
次に、原稿台に次ページ、すなわち読み取りの済んでいない原稿があるならば（ステップＳ２３４でＹＥＳ）、情報読取部６が当該原稿に埋め込まれたＲＦＩＤタグからページ番号、情報１乃至３を読み取る。ページ情報取得部８は、読み取られた情報に含まれるページ番号を取得し、このページ番号をｍに代入する（ステップＳ２３５）。そして、ペー ジ番号ｍの値と最大ページ番号Ｍの値を比較し、ページ番号ｍの値の方が大きければ（ステップＳ２３６でＹＥＳ）、ページ番号ｍの値を最大ページ番号Ｍに代入し（ステップＳ２３７）、ページ番号ｍの値が最大ページ番号Ｍ以下であるならば（ステップＳ２３６でＮＯ）、最大ページ番号Ｍの値をそのまま保持する。
【００４６】
続いて、片面両面情報取得部１２が片面両面情報を取得する（ステップＳ２３８）。この片面両面情報が片面印刷を表すならば（ステップＳ２３９でＹＥＳ）、裏表情報取得部１３が裏表情報を取得する（ステップＳ２４０）。なお、裏表情報が裏面を表す場合、制御部３は、反対面読取機構７を作動させて原稿を反転させ、裏表情報を表面に変更し、これを保持する。
【００４７】
続いて、回転情報取得部１４が、回転情報を取得する（ステップＳ２４１）。そして、制御部３が、ステップＳ２４０で取得した裏表情報を領域番号Ｘに対応付けて対応情報管理部９に記録し（ステップＳ２４２）、ステップＳ２４１で取得した回転情報を領域番号Ｘに対応付けて対応情報管理部９に記録する（ステップＳ２４３）。
【００４８】
続いて、原稿読取部２が当該原稿を読み取って画像データを生成し、生成した画像データを画像メモリ１０の領域番号Ｘに対応する領域に格納し（ステップＳ２４４）、ページ番号ｍを領域番号Ｘに対応付けて対応情報管理部９に記録する（ステップＳ２４５ ）。そして、制御部３は、領域番号Ｘの値を１だけ加算し（ステップＳ２４６）、入力ページカウンタｎの値を１だけ加算し（ステップＳ２４７）、ステップＳ２３４に戻る。
【００４９】
一方、片面両面情報が両面印刷を表す場合（ステップＳ２３９でＮＯ）、裏表情報取得部１３が裏表情報を取得し（ステップＳ２４８）、回転情報取得部１４が回転情報を取得する（ステップＳ２４９）。そして、制御部３が、ステップＳ２４８で取得した裏表情報を領域番号Ｘに対応付けて対応情報管理部９に記録し（ステップＳ２５０）、ステップＳ２４９で取得した回転情報を領域番号Ｘに対応付けて対応情報管理部９に記録する（ステップＳ２５１）。
【００５０】
続いて、原稿読取部２が当該原稿を読み取って画像データを生成し、生成した画像データを画像メモリ１０の領域番号Ｘに対応する領域に格納し（ステップＳ２５２）、ページ番号ｍを領域番号Ｘに対応付けて対応情報管理部９に記録する（ステップＳ２５３）。そして、制御部３は、領域番号Ｘの値を１だけ加算し（ステップＳ２５４）、反対面読取機構７を作動させて原稿を反転させる（ステップＳ２５５）。そして、制御部３は、裏表情報を当該反対の面を表す情報に変更してこれを保持し（ステップＳ２５６）、ステップＳ２４２に進む。
【００５１】
続いて、制御部３は、ステップＳ２５６で変更した裏表情報を領域番号Ｘに対応付けて対応情報管理部９に記録し（ステップＳ２４２）、ステップＳ２４９で取得した回転情報を領域番号Ｘに対応付けて対応情報管理部９に記録する（ステップＳ２４３）。
【００５２】
続いて、原稿読取部２が当該原稿を読み取って画像データを生成し、生成した画像データを画像メモリ１０の領域場号Ｘに対応する領域に格納し（ステップＳ２４４）、ページ番号ｍを領域番号Ｘに対応付けて対応情報管理部９に記録する（ステップＳ２４５）。そして、制御部３は、領域番号Ｘの値を１だけ加算し（ステップＳ２４６）、入力ページカウンタｎの値を１だけ加算し（ステップＳ２４７）、ステップＳ２３４に戻る。
そして、全ての原稿の読み取りが完了すると（ステップＳ２３４でＮＯ）、図６のＦに進み、蓄積した画像データを用いた印刷処理に移る。
【００５３】
ここで、対応情報管理部９への記録例について、図９および１０を参照して説明する。この例では、原稿は８枚の用紙からなり、１枚目から６枚目までは片面印刷、７枚目と８枚目が両面印刷である。従って、合計１０ページ分の画像が読み取られるのであるが、この例ではページ順が間違っており、また、用紙の天方向に対する画像の角度が０°でないページが混在している。１ページ分の画像が読み取られる毎に、図９の（ａ）、（ｂ）、（ｃ）・・・の順に対応情報管理部９に情報が書き込まれてゆき、全ページの読み取りが完了した結果が図１０（ｅ）である。
【００５４】
次に、印刷処理について説明する。印刷処理では、まず、制御部３のソート処理部１１が、最大ページ番号Ｍの値と入力ページカウンタｎの値を比較する。その結果、最大ページ番号Ｍの値の方が大きければ（ステップＳ２５７でＹＥＳ）、警告とその後の処理の選択肢とを表す文字列をＵＩ部５に表示する（ステップＳ２５８）。最大ページ番号Ｍの値の方が大きい場合、原稿に（Ｍ−ｎ）に相当するページ数の抜けがあることが疑われるため、その旨、警告を表示し、その後の処理の選択肢としては、「処理の継続」、「処理の中断」を提示する。
【００５５】
操作者により「処理の継続」が指示された場合（ステップＳ２５９でＹＥＳ）、または最大ページ番号Ｍの値と入力ページカウンタｎの値が一致した場合（ステップＳ２５７でＮＯ）には、ソート処理部１１は、出力ページカウンタＮの値を１に初期化する（ステップＳ２６０）。
【００５６】
続いて、ソート処理部１１は、出力ペ ージカウンタＮの値に一致するページ番号ｍが対応情報管理部９に記録されているならば（ステップＳ２６１でＹＥＳ）、このページ番号ｍに対応する領域番号Ｘを特定し（ステップＳ２６２）、画像メモリ１０の領域番号Ｘに対応する領域から画像データを読み出して印刷部４へ出力する（ステップＳ２６３）。
【００５７】
ここで、ステップＳ２６２における領域Ｘの特定処理について補足説明する。図９によれば、（ａ）では領域１にページ番号１の画像データが記録され、（ｂ）では領域２にページ番号５の画像データが記録され、（ｃ）では領域３にページ番号３の画像データが記録されている。画像メモリ１０の領域番号Ｘとページ番号ｍとの間に不一致が生じているため、領域番号Ｘの順に画像データを読み出したのでは印刷処理が正しいページ順で行われなくなる。このため、制御部３は、出力ページカウンタＮと一致するページ番号ｍを検索し、このページ番号ｍに対応する領域から画像データを読み出すのである。
【００５８】
なお、当該ページが両面印刷の場合、ステップＳ２６１において出力ページカウンタＮの値に一致するページ番号ｍが２つ発見される。この場合、ステップＳ２６２では、このページ番号ｍに対応する領域番号Ｘが２つ発見されるから、ステップＳ２６３においてソート処理部１１は、２つの領域番号Ｘのうち、対応する裏表情報が「表」である領域番号Ｘを特定し、この領域番号Ｘに対応する領域から先に画像データを読み出して印刷部４へ出力する。そして、もう１つの領域番号Ｘ、すなわち裏表情報が「裏」である領域番号Ｘに対応する領域から画像データを読み出して印刷部４へ出力する。
【００５９】
また、当該ページに対応する回転情報が「０」でない場合、画像回転処理部１５が、用紙の天方向に対する画像の角度が０°になるように画像データを補正し、補正された画像データを印刷部４に出力する。
【００６０】
そして、画像メモリ１０に画像データを読み出していない領域が残っているならば（ステップＳ２６４でＹＥＳ）、ソート処理部１１は、出力ページカウンタＮの値を１だけ加算して（ステップＳ２６５）、ステップＳ２６１に戻る。画像メモリ１０の全ての領域から画像データを読み出したならば（ステップＳ２６４でＮＯ）、ソート処理部１１は、印刷処理を終了する。
【００６１】
＜１．３．３  自動ソートモードをＯＦＦのまま処理を継続する場合＞
次に、図３のステップＳ２３０で操作者が「自動ソートモードをＯＦＦのまま処理を継続」を選択した場合（Ｓ２３１でＹＥＳ、ステップＳ２３２でＮＯ）について説明する。この場合、制御部３は、図７のＤに進む。図７のフローは、図５のフローからステップＳ２４５およびステップＳ２５３を削除し、ステップＳ２３４でＮＯの場合に図４のＧに移動するように変更したものである。要するに、図７のフローでは、図５のステップＳ２４５およびステップＳ２５３で行っていた、ページ番号ｍを領域番号Ｘに対応付けて対応情報管理部９に記録する処理を行わない。
【００６２】
次に、図７のステップＳ２６７でＮＯ，すなわち全ての原稿の読み取りが完了した場合の処理について説明する。この場合、制御部３は、図４のＧに進み、蓄積した画像データを用いた印刷処理に移る。
印刷処理では、制御部３は、まず、最大ページ番号Ｍの値と入力ページカウンタｎの値を比較する。その結果、最大ページ番号Ｍの値の方が大きければ（ステップＳ２８８でＹＥＳ）、警告とその後の処理の選択肢とを表す文字列をＵＩ部５に表示する（ステップＳ２８９ ）。
【００６３】
操作者により「処理の継続」が指示された場合（ステップＳ２９０でＹＥＳ）、または最大ページ番号Ｍの値と入力ページカウンタｎの値が一致した場合（Ｓ２８８でＮＯ）には、制御部３は、出力ページカウンタＮの値を１に初期化する（ステップＳ２２６）。続いて、制御部３は、画像メモリ１０の領域番号Ｎに対応する領域から画像データを読み出して印刷部４へ出力する（ステップＳ２２２７）。
【００６４】
そして、画像メモリに領域番号（Ｎ＋１）に対応する領域に画像データが存在ならば（ステップＳ２２８でＹＥＳ）、出力ページカウンタＮの値を１だけインクリメントして（ステップＳ２２９）、ステップＳ２２７に戻る。画像メモリ１０の領域（Ｎ＋１）に対応する領域に画像データが存在しなければ（ステップＳ２２８でＮＯ）、制御部３は、印刷処理を終了する。
【００６５】
＜１．３．４  処理の中断＞
なお、制御部３がＵＩ部５に警告と選択肢を表示した際に利用者が「処理の中断」を指示した場合（図３のＳ２３１でＮＯ、図６のＳ２５９でＮＯ、図４のＳ２９０でＮＯのいずれか）、制御部３は、原稿読取部２に原稿台に残っている原稿を排出させ（図８のＳ２９１）、画像メモリ１０に格納された画像データを破棄して（ステップＳ２９２）、複写処理を終了する。
【００６６】
＜２．第２実施形態＞
次に、本発明の第２実施形態について説明する。
＜２．１  構成＞
第２実施形態は、上記の第１実施形態に対して新たな機能を付加したものであり、その基本的な構成は第１実施形態と共通である。従って、ここでは、主に本実施形態の第１実施形態と異なる点について説明する。なお、第１実施形態と共通の構成要素には第１実施形態と同一の符号を付した。
【００６７】
以下、ポスター用原稿を複写する処理の例を用いて説明する。ポスター用原稿は、ポスターの原画像を分割して得られた複数の分割画像をそれぞれ１枚の用紙に印刷した原稿群であり、この原稿群を所定の位置関係で配列した場合に１枚のポスターが形成される。
図１４は、ポスター用原稿の作成手順を概略的に示した図である。まず、（ａ）に示すように、ポスターの原画像を表す画像データを作成する。次に、（ｂ）に示すように、（ａ）の画像を所望のサイズに拡大または縮小する。次に、（ｃ）に示すように、（ｂ）の画像を縦方向と横方向にそれぞれ３等分して合計９つの分割画像を作成する。そして、（ｄ）に示すように、各分割画像をそれぞれ１枚の用紙に印刷する。本実施形態では、（ｄ）に示すポスター用原稿が予め作成されているものとし、この原稿を読み取って種々の処理を実行することを想定する。なお、ポスター用原稿の作成方法は上記の例に限定されるものではなく、いかなる方法を用いてもよい。また、縦方向、横方向の分割数はいくつでもよい。
【００６８】
ポスター用原稿の各用紙には、第１実施形態と同様にＲＦＩＤタグが埋め込まれている。ＲＦＩＤタグの記憶領域には、原稿作成時に、ポスター識別情報、順番情報、Ｍ×Ｎ情報、縦横並び情報、グループ終了情報がページ番号と対応付けられて書き込まれている。また、第１実施形態と同様に、情報１：片面両面情報、情報２：ポートレート／ランドスケープ情報、情報３：タグ位置情報、がページ番号と対応付けられて書き込まれている。情報読取部６は記憶領域を有し、ＲＦＩＤタグから送信された各情報を受信し、受信した順番で各情報を記憶領域に書き込む。その結果、各情報は、それぞれ所定のアドレスを先頭として記憶領域に記憶される。なお、情報１乃至３は第１実施形態と共通であるから、これ以外について説明する。
【００６９】
ポスター識別情報は、ポスター毎に固有の情報であり、１枚のポスターを構成する複数の原稿には同一のポスター識別情報が付与されている。従って、複数組のポスター用原稿が存在する場合に各原稿がどのポスターに属する原稿であるかをポスター識別情報によって識別することができる。ポスター識別情報は、ポスターの名称でもよいし、単なる文字列でもよい。
【００７０】
順番情報は、例えば４桁の数字であり、ポスター毎に固有の情報が付与されている。この情報は、複数組のポスター用原稿を連続して複写する場合の処理の順番を表す情報として用いられる。なお、上記のポスター識別情報を省略し、各原稿がどのポスターに属する原稿であるかを順番情報によって識別するようにしてもよい。
【００７１】
Ｍ×Ｎ情報は、当該ポスターが横方向、縦方向にそれぞれ何分割されたかを表す情報である。Ｍは横方向の分割数、Ｎは縦方向の分割数である。図１４の例では、Ｍ×Ｎ＝「３×３」である。
縦横並び情報は、ページ番号が付与された方向を表す情報である。図１４（ｃ）の例では、縦横並び情報は、「横」である。すなわち、左上隅から横方向に１から順にページ番号が付与されており、横方向のページ数がＭ（＝３）に達した後、１つ下の段の左端から順に後続のページ番号が付与されている。
グループ終了情報は、当該ポスターを構成する原稿の最後のページを表し、当該ポスターを構成する原稿のうち最大のページ番号が付与された原稿に対して立てられるフラグである。
【００７２】
図１５は、画像読取装置１０１の機能構成を示す図である。画像読取装置１０１の制御部１０３は、第１実施形態の制御部３に対して、ポスター識別情報取得部２０、順番情報取得部２１、Ｍ×Ｎ情報取得部２２、縦横並び情報取得部２３、グループ終了情報取得部２４、画像配列部２５を付加して構成されている。
【００７３】
原稿読取部２は、原画像を分割して得られた複数の分割画像をそれぞれ１枚の用紙に印刷した原稿を読み取って、前記分割画像を表す分割画像データを生成する
ポスター識別情報取得部２０は、情報読取部６がＲＦＩＤタグから読み取った情報に含まれるポスター識別情報を取得する。
順番情報取得部２１は、情報読取部６がＲＦＩＤタグから読み取った情報に含まれる順番情報を取得する。
Ｍ×Ｎ情報取得部２２は、情報読取部６がＲＦＩＤタグから読み取った情報に含まれるＭ×Ｎ情報を取得する。
【００７４】
縦横並び情報取得部２３は、情報読取部６がＲＦＩＤタグから読み取った情報に含まれる縦横並び情報を取得する。
グループ終了情報取得部２４は、情報読取部６がＲＦＩＤタグから読み取った情報に含まれるグループ終了情報を取得する。
ポスター識別情報取得部２０が取得したポスター識別情報、順番情報取得部２１が取得した順番情報、Ｍ×Ｎ情報取得部２２が取得したＭ×Ｎ情報、縦横並び情報取得部２３が取得した縦横並び情報、グループ終了情報取得部２４が取得したグループ終了情報は、ページ番号と対応付けて対応情報管理部９に記録される。
【００７５】
画像配列部２５は、対応情報管理部９に記憶された上記の情報に基づいて、各分割画像データで表される分割画像の原画像内での位置を特定し、特定の結果に基づいて複数の分割画像を配列した配列画像データを生成する。すなわち、画像配列部２５は、ページ情報取得部８が取得したページ番号、順番情報取得部２１が取得した順番情報、Ｍ×Ｎ情報取得部２２が取得したＭ×Ｎ情報、縦横並び情報取得部２３が取得した縦横並び情報に基づいて、分割画像データが表す各分割画像の原画像内での位置を特定する。位置の特定の手順については、後述する。
【００７６】
ＵＩ部１０５は、表示部５１が表示した配列画像に含まれる分割画像の１つまたは複数を操作者が指定するための画像指定部５３を備えている。表示部５１は、画像配列部２５が生成した配列画像データに基づく配列画像を表示する。操作者が画面上の分割画像の１つに触れると、画像指定部５３は、操作者が触れた分割画像を画面に備えられたセンサによって特定する。すると、制御部３は、特定された分割画像を用紙に印刷することを印刷部４に指示する。印刷部４は、画像指定部５３で指定された分割画像に対応する分割画像データに基づいて当該分割画像を印刷する。
【００７７】
＜２．２  動作＞
次に、画像読取装置１０１の動作について説明する。
図１６は、画像読取装置１０１の基本的な動作のフローを示す図である。このフローは、第１実施形態における図２のフローを改変したものである。
ステップＳ２０１からＳ２０４までは、図２と同一である。
ステップＳ２０５Ａでは、情報読取部６が、当該原稿に埋め込まれたＲＦＩＤタグから情報を読み取る。読み取られる情報は、ポスター識別情報、順番情報、Ｍ×Ｎ情報、縦横並び情報、グループ終了情報、ページ番号、情報１（片面両面情報）、情報２（ポートレート／ランドスケープ情報）、情報３（タグ位置情報）、である。ここで読み取られたページ番号をｍに代入する。
【００７８】
ステップＳ２０６からＳ２１３までは、図２と同一である。
ステップＳ２１４Ａでは、制御部１０３が、領域番号Ｘとポスター識別情報、順番情報、Ｍ×Ｎ情報、縦横並び情報、グループ終了情報、ページ番号ｍを対応付けて対応情報管理部９に記憶する。図２０乃至２１は、対応情報管理部９に記憶された各情報の対応関係を例示する図である。図２０が５枚目まで、図２１が６乃至９枚目の読み取り後の記録内容である。この例は、ページ順の間違い、ページ抜け、画像の回転、原稿の裏返しがない場合を示している。そのため、回転情報、裏表情報は記録されていない。
【００７９】
ステップＳ２１５からＳ２２１までは、図２と同一である。
ステップＳ２２２Ａでは、制御部１０３が、領域番号Ｘとポスター識別情報、順番情報、Ｍ×Ｎ情報、縦横並び情報、グループ終了情報、ページ番号ｍを対応付けて対応情報管理部９に記憶する。
ステップＳ２２３からＳ２２５までは、図２と同一である。
要するに、図１６のフローは、ポスター識別情報、順番情報、Ｍ×Ｎ情報、縦横並び情報、グループ終了情報の取得および記憶を行う点で図２と異なっている。
【００８０】
図１６のステップＳ２０４の判定がＮＯの場合、図１７のＰに進む。
ステップＳ３０１では、画像配列部２５が、取得されたページ番号、順番情報、Ｍ×Ｎ情報、縦横並び情報に基づいて、各分割画像の原画像内での位置を特定し、特定の結果に基づいて各分割画像を配列した配列画像データを生成し、表示部５１がこの配列画像データに基づく配列画像を表示する。
【００８１】
図２０の例では、順番情報がすべて「０００１」、Ｍ×Ｎ情報が「３×３」、縦横並び情報が「横」であるから、ページ番号ｍ＝１乃至３に対応する分割画像データをそれぞれ領域番号１乃至３の記憶領域から読み出し、これらに基づく縮小画像を左から順に並べる。次に、ページ番号ｍ＝４乃至６に対応する分割画像データをそれぞれ領域番号４乃至６から読み出し、これらに基づく縮小画像をページ番号ｍ＝１乃至３の下段に左から順に並べる。次に、ページ番号ｍ＝７乃至９に対応する分割画像データをそれぞれ領域番号７乃至９から読み出し、これらに基づく縮小画像をページ番号ｍ＝４乃至６の下段に左から順に並べる。この結果、図２５の「おもて」に示すように、原画像内での位置に対応させて分割画像を配列した配列画像が表示部５１に表示される。
なお、配列画像は、分割画像同士を接合した上で分割画像間の境界線を表示する、あるいは、分割画像間に隙間を設けて表示する等、分割画像間の境界を視認できるように表示する。
【００８２】
ステップＳ３０２では、画像指定部５３が分割画像の指定を受け付ける。具体的には、操作者が「部分指定する」に触れた場合、これに続いて操作者が触れた分割画像が白黒反転されて表示される。一方、操作者が「全部指定する」に触れると、当該原稿が片面原稿ならば、すべての分割画像が白黒反転されて表示される。当該原稿が両面原稿ならば、表示部５１が図２６に示す画像を表示する。画面上で「両面全部指定する」が指定された場合、両面のすべての部分画像が印刷の対象となる。「表面全部指定する」、「裏面全部指定する」が指定された場合、それぞれ表面、裏面のすべての部分画像が印刷の対象となる。
なお、当該原稿が片面印刷の場合には、表面の配列画像のみ表示され、表面の指定のみ可能となる。
【００８３】
そして、操作者が「印刷」のボタンに触れると、ステップＳ３０３に進む。
「全部指定する」の場合（ステップＳ３０３でＹＥＳ）には、図４のＢに進む。その結果、当該ポスターに対応する分割画像がページ順に印刷される。
一方、「部分指定する」の場合（ステップＳ３０３でＮＯ）には、ステップＳ３０４に進み、画像指定部５３が、指定された分割画像に対応する分割画像データを画像メモリ１０から読み出して印刷部４に出力する。その結果、操作者が指定した分割画像のみが用紙に印刷される。
【００８４】
一方、図１６のステップＳ２０６、Ｓ２１０、Ｓ２１２、Ｓ２１８、Ｓ２２０の判定結果がＮＯの場合、第１実施形態と同様に図３のＡに進む。そして、ステップＳ２３２で「自動ソートモードをＯＮにして処理を継続」が選択された場合、図１８のＱに進む。このフローは、第１実施形態における図５のフローを改変したものである。
ステップＳ２３３からＳ２３４までは、図５と同一である。
ステップＳ２３５Ａでは、情報読取部６が、当該原稿に埋め込まれたＲＦＩＤタグから情報を読み取る。読み取られる情報は、ポスター識別情報、順番情報、Ｍ×Ｎ情報、縦横並び情報、グループ終了情報、ページ番号、情報１（片面両面情報）、情報２（ポートレート／ランドスケープ情報）、情報３（タグ位置情報）、である。ここで読み取られたページ番号をｍに代入する。
【００８５】
ステップＳ２３６からＳ２４４までは、図５と同一である。
ステップＳ２４５Ａでは、制御部１０３が、領域番号Ｘとポスター識別情報、順番情報、Ｍ×Ｎ情報、縦横並び情報、グループ終了情報、ページ番号ｍを対応付けて対応情報管理部９に記憶する。図２２乃至２４は、対応情報管理部９に記憶された各情報の対応関係を例示する図である。図２２が５枚目まで、図２３が６乃至９枚目、図２４が１０乃至１１枚目の読み取り後の記録内容である。この例は、３枚目以降にページ順の間違い、ページ抜け、画像の回転、原稿の裏返しがある場合を示している。３枚目（領域番号３）は、画像の回転が生じている。４、５枚目（領域番号４、５）は、画像の回転、およびページ順の間違いが生じている。６枚目（領域番号６）は、画像の回転が生じている。７、８枚目（領域番号７先、７後）は、両面印刷の原稿であり、裏面が先に読み取られている。また、画像の回転も生じている。９、１０枚目（領域番号８先、８後）は、両面印刷の原稿であり、表面が先に読み取られている。また、画像の回転が生じている。１１枚目（領域番号９）は、グループ終了情報が「Ｙｅｓ」である。すなわち、ポスター識別情報「Poster1」に対応する一連の分割画像で最大のページ番号を有する分割画像である。
【００８６】
ステップＳ２４６からＳ２５２までは、図５と同一である。
ステップＳ２５３Ａでは、制御部１０３が、領域番号Ｘとポスター識別情報、順番情報、Ｍ×Ｎ情報、縦横並び情報、グループ終了情報、ページ番号ｍを対応付けて対応情報管理部９に記憶する。
ステップＳ２５４からＳ２５６までは、図５と同一である。
要するに、図１８のフローは、ポスター識別情報、順番情報、Ｍ×Ｎ情報、縦横並び情報、グループ終了情報の取得および記憶を行う点で図５と異なっている。
【００８７】
図１８のステップＳ２３４の判定がＮＯの場合、図１９のＲに進む。
ステップＳ４０１では、画像配列部２５が、取得されたページ番号、順番情報、Ｍ×Ｎ情報、縦横並び情報、裏表情報に基づいて、各分割画像の原画像内での位置を特定する。また、回転情報が０でない分割画像については、画像回転処理部１５が、回転情報で表される角度が０°になるように当該分割画像の天方向に対する角度を補正する。そして、画像配列部２５が、位置の特定の結果に基づいて各分割画像を配列した配列画像データを生成し、表示部５１がこの配列画像データに基づく配列画像を表示する。
【００８８】
図２１の例では、順番情報がすべて「０００１」、Ｍ×Ｎ情報が「３×３」、縦横並び情報が「横」であるから、ページ番号ｍ＝１乃至３に対応する分割画像データをそれぞれ領域番号１乃至３の記憶領域から読み出し、これらに基づく縮小画像を左から順に並べる。次に、ページ番号ｍ＝４乃至６に対応する分割画像データをそれぞれ領域番号４、６、５から読み出し、これらに基づく縮小画像をページ番号ｍ＝１乃至３の下段に左から順に並べる。次に、ページ番号ｍ＝７乃至９に対応する分割画像データのうち裏表情報が「表」であるものをそれぞれ領域番号７後、８先から読み出し、これらに基づく縮小画像をページ番号ｍ＝４、５の下段に左から順に並べる。そして、ページ番号ｍ＝９に対応する分割画像データを領域番号９から読み出し、これに基づく縮小画像をページ番号ｍ＝９の下段に配置する。この結果、図２５に示すように、原画像内での位置に対応させて分割画像を配列した配列画像が表示部５１に表示される。
【００８９】
ステップＳ４０２では、画像指定部５３が分割画像の指定を受け付ける。具体的には、操作者が「全部指定する」に触れると、すべての分割画像が白黒反転されて表示される。操作者が「部分指定する」に触れた場合、これに続いて操作者が触れた分割画像が白黒反転されて表示される。そして、操作者が画面上の「印刷」のボタンに触れると、ステップＳ４０３に進み、「全部指定する」が指定された場合（ステップＳ４０３でＹＥＳ）、当該原稿が両面原稿ならば、表示部５１が図２６に示す画像を表示する。「全面指定する」が指定された場合、両面が印刷の対象となる。そして、操作者が「印刷」のボタンに触れると、図６のＦに進む。その結果、当該ポスターに対応する分割画像がページ順に印刷される。
【００９０】
一方、「部分指定する」が指定された場合（ステップＳ４０３でＮＯ）には、ステップＳ４０４に進み、画像指定部５３が、指定された分割画像に対応する分割画像データを画像メモリ１０から読み出して印刷部４に出力する。その結果、操作者が指定した分割画像のみが用紙に印刷される。
【００９１】
一方、図３のステップＳ２３２で「自動ソートモードをＯＦＦのまま処理を継続」が選択された場合、図７のＤに進む。これ以降の処理は、第１実施形態と同一である。
【００９２】
第２実施形態の画像読取装置１０１は、以下の手順で使用すれば効果的である。
例えば、画像読取装置１０１で読み取った１組のポスター用原稿（第１の原稿群）の一部が欠落している場合、表示部５１に表示される配列画像は、図２７に例示するように、第１の原稿群を構成すべき分割画像のいくつかが欠落したものとなるから、原稿の欠落の有無を操作者が知ることができ、また、どのページが欠落しているかを操作者が見分けることができる。
【００９３】
このようにして原稿の欠落が判明したならば、欠落ページの補充を行う。ここで、ポスターの原本から所望のページを抜き出して複写してもよいが、以下の手順で補充すればさらに効率的である。
まず、第２の原稿群を画像読取装置１０１で読み取る。この第２の原稿群は、第１の原稿群と同一の原画像から作成されたものであり、欠落のないことが予め判っている原稿群（例えばポスターの原本）である。すると、すべての分割画像の揃った配列画像が表示されるから、第１の原稿群で欠落していたページを操作者が画面上で容易に見つけることができる。そして、画面上で当該ページを指定することにより当該ページが印刷され、第１の原稿群の欠落ページを補充することができる。
【００９４】
もし、第１の原稿群のどのページが欠落しているかを予め操作者が知っているならば、第１の原稿群の読み取りを行わずに第２の原稿群を画像読取装置１０１で読み取り、画面上で第１の原稿群の欠落ページを指定すればよい。
また、第１の原稿群を読み取った結果、欠落が多数の場合には、その原稿群を破棄し、第２の原稿群の全ページを複写することにより第１の原稿群の代替物を効率的に得ることができる。
【００９５】
以上説明した形態に限らず、本発明は種々の形態で実施可能である。例えば、上述の実施形態を以下のように変形した形態でも実施可能である。
＜変形例１＞
上記の実施形態では、用紙に埋め込まれたＲＦＩＤタグからページ番号等の情報を読み取る構成を例示したが、例えば、ページ番号等の情報をバーコード、ＱＲコード等に変換し、このコードを表す画像を用紙に形成し、情報読取部６がこのコードを光学的に読み取るようにしてもよい。この場合、特定波長の光線、例えば赤外線を吸収する色材を用いて用紙上にコードの画像を形成し、一方、情報読取部６には赤外線を照射する手段と赤外線を読み取る手段とを情報読取部６に設けた構成としてもよい。要するに、画像読取装置１が読み取り可能な情報が何らかの形で用紙に付されていればよい。
【００９６】
＜変形例２＞
第２実施形態では、Ｍ×Ｎ情報、縦横並び情報、ページ番号に基づいて原画像内での各分割画像の位置を特定する例を示したが、他の情報を用いてもよい。例えば、２次元行列形式で分割画像の位置を表す情報をＲＦＩＤタグに書き込んでおく。この場合、第２実施形態で例示したポスター用原稿の第１ページは（Ｉ，Ｊ）＝（１，１）、第２ページは（Ｉ，Ｊ）＝（１，２）となり、第９ページは（Ｉ，Ｊ）＝（３，３）となる。このようにすれば、より少ない量の情報により分割画像の位置を特定することができる。
【００９７】
＜変形例３＞
第２実施形態では配列画像を表示する例を示したが、表示された配列画像を１枚の用紙に印刷するようにしてもよい。例えば、原画像が日本工業規格（ＪＩＳ）Ａ０版であるポスターの配列画像をＪＩＳ−Ａ４版の用紙に印刷することにより、ポスターを縮小した見本を作製することができる。
【００９８】
＜変形例４＞
同一の原画像から得られた２組の配列画像を並べて表示するようにしてもよい。
例えば、最初に、第１の原稿群を原稿読取部２で読み取る。次に、第２の原稿群を原稿読取部２で読み取る。この第２の原稿群は、第１の原稿群と同一の原画像から作成されたものであり、欠落のないことが予め判っている原稿群であり、例えばポスターの原本である。すると、画像配列部２５は、原稿読取部２が第１の原稿群を読み取って生成した各分割画像データで表される分割画像の原画像内での位置を特定して第１の配列画像データを生成し、原稿読取部２が第２の原稿群を読み取って生成した各分割画像データで表される分割画像の原画像内での位置を特定して第２の配列画像データを生成する。そして、表示部５１は、画像配列部２５が生成した第１の配列画像データに基づく第１の第１の配列画像と第２の配列画像データに基づく第２の配列画像とを表示する。第１の原稿群に欠落が生じているならば、第１の原稿群に対応する画像として、図２７に示したような欠落のある配列画像が表示され、第２の原稿群に対応する画像として、図２５に示したような欠落のない配列画像が表示される。こうして表示された配列画像を操作者が見比べることによって、第１の配列画像における欠落ページを簡単に見つけることができる。そして、第２の配列画像で当該ページを指定して印刷すれば、欠落ページを補充することができる。
【００９９】
また、画像配列部２５が、第２の原稿郡と同一の原画像から得られた分割画像データを、対応情報管理部９に記録された情報に基づいて抽出し、抽出された分割画像データに基づいて第１の配列画像データを生成するようにしてもよい。分割画像データの抽出は、対応情報管理部９に記録されているポスター識別情報が同一の分割画像データを抽出すればよい。
【図面の簡単な説明】
【０１００】
【図１】画像読取装置１の機能構成を示す図である。
【図２】画像読取装置１が実行する処理の流れを示す図である。
【図３】画像読取装置１が実行する処理の流れを示す図である。
【図４】画像読取装置１が実行する処理の流れを示す図である。
【図５】画像読取装置１が実行する処理の流れを示す図である。
【図６】画像読取装置１が実行する処理の流れを示す図である。
【図７】画像読取装置１が実行する処理の流れを示す図である。
【図８】画像読取装置１が実行する処理の流れを示す図である。
【図９】対応情報管理部９に記憶された情報を示す図である。
【図１０】対応情報管理部９に記憶された情報を示す図である。
【図１１】ＲＦＩＤタグに書き込まれる情報の内容を示す図である。
【図１２】用紙上のＲＦＩＤタグの位置を示す図である。
【図１３】用紙上のＲＦＩＤタグの位置を示す図である。
【図１４】ポスター用原稿の作成手順を概略的に示した図である。
【図１５】画像読取装置１０１の機能構成を示す図である。
【図１６】画像読取装置１０１が実行する処理の流れを示す図である。
【図１７】画像読取装置１０１が実行する処理の流れを示す図である。
【図１８】画像読取装置１０１が実行する処理の流れを示す図である。
【図１９】画像読取装置１０１が実行する処理の流れを示す図である。
【図２０】対応情報管理部９に記憶された情報を示す図である。
【図２１】対応情報管理部９に記憶された情報を示す図である。
【図２２】対応情報管理部９に記憶された情報を示す図である。
【図２３】対応情報管理部９に記憶された情報を示す図である。
【図２４】対応情報管理部９に記憶された情報を示す図である。
【図２５】表示部５１に表示された画像を示す図である。
【図２６】表示部５１に表示された画像を示す図である。
【図２７】表示部５１に表示された画像を示す図である。
【符号の説明】
【０１０１】
１…画像読取装置、２…原稿読取部、３…制御部、４…印刷部、５…ＵＩ部、６…情報読取部、７…反対面読取機構、８…ページ情報取得部、９…対応情報管理部、１０…画像メモリ、１１…ソート処理部、１２…片面両面情報取得部、１３…裏表情報取得部、１４…回転情報取得部、１５…画像回転処理部、５１…表示部、１０１…画像読取装置、１０３…制御部、１０５…ＵＩ部、２０…ポスター識別情報取得部、２１…順番情報取得部、２２…Ｍ×Ｎ情報取得部、２３…縦横並び情報取得部、２４…グループ終了情報取得部、２５…画像配列部、５３…画像指定部
【図１】
2009232427.tif 000003
【図２】
2009232427.tif 000004
【図３】
2009232427.tif 000005
【図４】
2009232427.tif 000006
【図５】
2009232427.tif 000007
【図６】
2009232427.tif 000008
【図７】
2009232427.tif 000009
【図８】
2009232427.tif 000010
【図９】
2009232427.tif 000011
【図１０】
2009232427.tif 000012
【図１１】
2009232427.tif 000013
【図１２】
2009232427.tif 000014
【図１３】
2009232427.tif 000015
【図１４】
2009232427.tif 000016
【図１５】
2009232427.tif 000017
【図１６】
2009232427.tif 000018
【図１７】
2009232427.tif 000019
【図１８】
2009232427.tif 000020
【図１９】
2009232427.tif 000021
【図２０】
2009232427.tif 000022
【図２１】
2009232427.tif 000023
【図２２】
2009232427.tif 000024
【図２３】
2009232427.tif 000025
【図２４】
2009232427.tif 000026
【図２５】
2009232427.tif 000027
【図２６】
2009232427.tif 000028
【図２７】
2009232427.tif 000029